(57)【特許請求の範囲】
【請求項１】
装置内に挿入された大径ディスクの外周に基端部が押されて回動することにより先端部が横方向に移動するとともに、前記大径ディスクの最大寸法部分が通過した後に逆方向に回動するディスク検知レバーと、前記ディスク検知レバーの先端部に追随して横方向に移動するロックプレートと、常態において装置内に挿入された小径ディスクを位置決めするために前記ロックプレートにより突出状態にロックされるとともに、前記ロックプレートの横方向への移動によりそのロックを解除されて前記挿入されてきた大径ディスクの外周により倒伏し、前記大径ディスクの最大寸法部分が通過したことによる前記ロックプレートの反対方向への移動によりその倒伏状態がロックされるロックピンと、前記大径ディスクを位置決めする手段とを備えたディスク検出機構を有するディスク再生装置。
【請求項２】
前記ディスク検出機構が、前記ロックプレートの横方向の移動に追随して横方向に移動するとともに、軸を中心に回動可能なアジャストプレートと、前記軸を中心に回動可能に設けられて、前記アジャストプレートの横方向内側への移動によりロックを解除されて前記大径ディスクまたは前記小径ディスクの外周に押されて回動するシフトアームとを備えた請求項１記載のディスク再生装置。
【請求項３】
前記アジャストプレートの回動に連動して回動するとともに、前記装置内に挿入された大径ディスクまたは小径ディスクをターンテーブルに保持するクランプ手段を備えたディスククランプ機構を有する請求項２記載のディスク再生装置。
【請求項４】
前記大径ディスクまたは小径ディスクが前記位置決め手段または前記ロックピンにより位置決めされた位置が、前記大径ディスクまたは小径ディスクが前記クランプ手段によりターンテーブルに保持された位置よりも装置奥側にオフセットされていることを特徴とする請求項３記載のディスク再生装置。
【請求項５】
前記ディスククランプ機構のクランプアームを回動可能に支持するとともに、装置のメインシャーシにダンパおよびダンパばねを介して支持されたサスペンションシャーシを備えたことを特徴とする請求項４記載のディスク再生装置。
【請求項６】
前記サスペンションシャーシが、常態において前記サスペンションシャーシを前記メインシャーシに固定し、ディスク再生時には前記固定を解除するサスペンションロック手段を備えたことを特徴とする請求項５記載のディスク再生装置。
【請求項７】
前記アジャストプレートが回動した時に、前記アジャストプレートの移動により前記サスペンションロック手段を動作させるとともに、前記サスペンションロック手段の移動により前記クランプアームを回動させて前記大径ディスクまたは小径ディスクをクランプすることを特徴とする請求項６記載のディスク再生装置。
【発明の詳細な説明】
【０００１】
【発明の属する技術分野】
本発明は、大径の１２ｃｍのディスクおよび小径の８ｃｍのディスクを再生可能なディスク再生装置に関する。
【０００２】
【従来の技術】
従来、この種のディスク再生装置は、大径の１２ｃｍのディスクを中心に設計され、小径の８ｃｍのディスクを使用する場合は、専用のアダプタに８ｃｍディスクをセットし、そのアダプタを装置内に挿入して再生を行っていた。
【０００３】
【発明が解決しようとする課題】
しかしながら、上記従来のアダプタを使用する方法では、アダプタを保管する必要があり、アダプタがなくては８ｃｍディスクを再生できないばかりか、アダプタに８ｃｍディスクを装着するのに手間がかかるという問題があった。
【０００４】
本発明は、このような従来の問題を解決するものであり、小径ディスクのためのアダプタを必要とすることなく、大径と小径のディスクの両方を再生可能なディスク再生装置を提供するものである。
【０００５】
【課題を解決するための手段】
本発明のディスク再生装置は、装置内に挿入された大径ディスクの外周に基端部が押されて回動することにより先端部が横方向に移動するとともに、前記大径ディスクの最大寸法部分が通過した後に逆方向に回動するディスク検知レバーと、前記ディスク検知レバーの先端部に追随して横方向に移動するロックプレートと、常態において装置内に挿入された小径ディスクを位置決めするために前記ロックプレートにより突出状態にロックされるとともに、前記ロックプレートの横方向への移動によりそのロックを解除されて前記挿入されてきた大径ディスクの外周により倒伏し、前記大径ディスクの最大寸法部分が通過したことによる前記ロックプレートの反対方向への移動によりその倒伏状態がロックされるロックピンと、前記大径ディスクを位置決めする手段とを備えたディスク検出機構を有するものである。この構成により、装置内に小径ディスクが挿入された場合には、ロックピンにより小径ディスクを再生位置に位置決めし、装置内に大径ディスクが挿入された場合には、ロックピンが大径ディスクの外周に押されて大径ディスクの通過を許容するので、大径ディスクでも小径ディスクでも再生できることとなる。
【０００６】
また、本発明のディスク再生装置は、前記ディスク検出機構が、前記ロックプレートの横方向の移動に追随して横方向に移動するとともに、軸を中心に回動可能なアジャストプレートと、前記軸を中心に回動可能に設けられて、前記アジャストプレートの横方向内側への移動によりロックを解除されて前記大径ディスクまたは前記小径ディスクの外周に押されて回動するシフトアームとを備えたものである。この構成により、大径ディスクが挿入された場合でも、小径ディスクが挿入された場合でも、アジャストプレートの動きからディスクが再生位置に位置決めされたことを検出できることとなる。
【０００７】
また、本発明のディスク再生装置は、前記アジャストプレートの回動に連動して回動するとともに、前記装置内に挿入された大径ディスクまたは小径ディスクをターンテーブルに保持するクランプ手段を備えたディスククランプ機構を有するものである。この構成により、ディスクの位置決めと同時にディスクのクランプができることとなる。
【０００８】
また、本発明のディスク再生装置は、前記大径ディスクまたは小径ディスクが前記位置決め手段または前記ロックピンにより位置決めされた位置が、前記大径ディスクまたは小径ディスクが前記クランプ手段によりターンテーブルに保持された位置よりも装置奥側にオフセットされていることを特徴とするものである。この構成により、ディスクがターンテーブルに保持されたときは、ディスクと位置決め手段またはロックピンとの間にオフセット分の隙間があるので、ディスクの回転をスムーズに行わせることができることとなる。
【０００９】
また、本発明のディスク再生装置は、前記ディスククランプ機構のクランプアームを回動可能に支持するとともに、装置のメインシャーシにダンパおよびダンパばねを介して支持されたサスペンションシャーシを備えたことを特徴とするものである。この構成により、ディスク再生時には浮遊状態となるサスペンションシャーシにディスククランプ機構が設けられることにより、ディスク再生装置を車両などの振動が加わるオーディオ装置に適用できることとなる。
【００１０】
また、本発明のディスク再生装置は、前記サスペンションシャーシが、常態において前記サスペンションシャーシを前記メインシャーシに固定し、ディスク再生時には前記固定を解除するサスペンションロック手段を備えたことを特徴とするものである。この構成により、非再生時にはサスペンションシャーシを確実にメインシャーシに固定し、再生時にはサスペンションシャーシを浮遊状態に保持して音飛びのない再生ができることとなる。
【００１１】
また、本発明のディスク再生装置は、前記アジャストプレートが回動した時に、前記アジャストプレートの移動により前記サスペンションロック手段を動作させるとともに、前記サスペンションロック手段の移動により前記クランプアームを回動させて前記大径ディスクまたは小径ディスクをクランプすることを特徴とするものである。この構成により、大径ディスクまたは小径ディスクの挿入からクランプまでの動作を連続的に短時間にできることとなる。
【００１２】
また、本発明のディスク再生装置は、アッパシャーシとロアシャーシとサスペンションシャーシとからなるシャーシ機構と、ディスクを装置内の挿入／排出位置と再生位置の間で搬送するディスク搬送機構と、挿入された小径ディスクのための位置決め手段を備え、挿入されたディスクが大径ディスクの場合は、前記位置決め手段のロックを解除して前記大径ディスクの外周によって前記位置決め手段を倒伏させるロック手段を有するディスク検出機構と、前記ディスク検出機構に連動して前記サスペンションシャーシの前記ロアシャーシに対するロックまたはロック解除を行うサスペンションロック機構と、前記サスペンションシャーシに設けられて、前記再生位置に搬送されたディスクをターンテーブル上にクランプするディスククランプ機構および前記クランプされたデイスクを再生するディスク再生機構とを備えたものである。この構成により、大径ディスクでも小径ディスクでも、単に装置内にディスクを挿入するだけで再生ができることとなる。
【００１３】
【発明の実施の形態】
以下、本発明の実施の形態を図面を参照して説明する。なお、本発明は、大径ディスクでも小径ディスクでも、単に装置内に挿入するだけで再生できる構成に特徴があり、それ以外の構成については概略的な説明にとどめる。図１は本実施の形態におけるディスク再生装置の構成を示し、（ａ）は平面図、（ｂ）は左側面図、（ｃ）は右側面図である。以下の図面では、各部材が、互いの位置関係を同一図面に表示するために、前後および上下の関係が無視されており、また、ハッチングおよびスマッジングを施した部分は、断面を表すのではなく部材の形状を表している。図１において、装置全体は、アッパシャーシとロアシャーシとサスペンションシャーシとからなるシャーシ機構１と、ディスクを装置内の挿入／排出位置と再生位置の間で搬送するディスク搬送機構１１と、挿入された小径ディスクＤ２のための位置決め手段を備え、挿入されたディスクが大径ディスクＤ１の場合は、位置決め手段のロックを解除して大径ディスクＤ１の外周による位置決め手段の倒伏を可能にするロック手段を有するディスク検出機構２１と、ディスク検出機構２１に連動してシャーシ機構１におけるサスペンションシャーシに対するロックまたはロック解除を行うサスペンションロック機構３１と、サスペンションシャーシに設けられて、再生位置に搬送されたディスクをターンテーブル上にクランプするディスククランプ機構４１およびクランプされたデイスクを再生するための図示されないディスク再生機構とを備えている。
【００１４】
シャーシ機構１は、メインシャーシを構成するロアシャーシ２とアッパシャーシ３と、ロアシャーシ２に対しダンパおよびダンパばねを介して支持されたサスペンションシャーシ４とからなる。サスペンションシャーシ４は、サスペンションロック機構３１によりロアシャーシ２およびアッパシャーシ３に対してロックまたはロック解除される。
【００１５】
ディスク搬送機構１１は、装置内に挿入された直径１２ｃｍの大径ディスクＤ１または直径８ｃｍの小径ディスクＤ２を装置内の挿入／排出位置と再生位置の間で搬送するフィードローラ１２を備えている。フィードローラ１２は、中心部を小径とした鼓型のローラであり、ロアシャーシ２に対し軸１３ａにより揺動可能に設けられたフィード板１３に設けられ、その軸端部のローラギヤ１４が、ロアシャーシ２に設けられた駆動ギヤ１５に噛み合って回転駆動される。駆動ギヤ１５は図示されないフィードモータにより回転駆動される。
【００１６】
ディスク検出機構２１は、サスペンションシャーシ４に軸２７を介して回動可能に設けられたディスク検知レバー２２と、ディスク検知レバー２２の先端部に連動して横方向に移動するロックプレート２３と、常態においては装置内に挿入された小径ディスクＤ２を再生位置に位置決めするためにロックプレート２３により突出状態にロックされるとともに、ロックプレート２３の横内側方向Ａへの移動によりそのロックを解除されて、挿入されてきた大径ディスクＤ１の外周により倒伏し、大径ディスクＤ１の最大寸法部分がディスク検知レバー２２の基端部のピン２２ａを通過したことによるロックプレート２３の横外側方向Ｂへの移動によりその倒伏状態がロックされるロックピン２４と、ロックプレート２３の横方向の移動に追随して横方向に移動するとともに、軸２８を中心に回動するアジャストプレート２５と、アジャストプレート２５の軸２８を中心に回動可能に設けられて、アジャストプレート２５の横外側方向Ｂへの移動によりロックを解除されて、大径ディスクＤ１または小径ディスクＤ２の外周に押されて回動するシフトアーム２６とを備えている。
【００１７】
図２に示すように、ディスク検知レバー２２の先端部にはピン２２ｂが上に向けて植設され、このピン２２ｂが、ロックプレート２３の先端部に形成された長穴２３ｂに係合している。ロックプレート２３は、クランプアーム４２の上面に形成された折り曲げ片４２ａに挟まれて横方向に摺動可能に設けられ、引張コイルばね２３ａにより、横外側方向Ｂに向けて押圧付勢されている。断面略矩形のロックピン２４は、水平軸２４ａによりクランプアーム４２に回動可能に取り付けられ、かつ捩りコイルばね２４ｂにより水平軸２４ａの回りに左側から見て反時計方向に回動付勢されて、常態においてロックプレート２３に形成された矩形のロック溝２３ｃに係止されて下方に突出し、その奥側に向けて突出するロック片２４ｃが、ロックプレート２３のロック溝２３ｃ周縁に押えられることにより、その突出状態がロックされている。アジャストプレート２５は、クランプアーム４２の上面に軸２８を中心に回動可能に設けられ、引張コイルばね２５ａにより時計回り方向に回動付勢されているが、その先端部２５ｂがロックプレート２３の後端部に当たることにより位置決めされている。シフトアーム２６は、クランプアーム４２の下面に軸２８を中心に回動可能に設けられ、引張コイルばね２６ａにより反時計回り方向に回動付勢されている。軸２８は、シフトアーム２６の後端部に上に向けて植設され、クランプアーム４２の丸穴を通され、アジャストプレート２５の長穴２５ｄを遊動可能に通された後、先端部を加締められる。従って、アジャストプレート２５は、長穴２５ｃの分だけ移動可能である。また、シフトアーム２６は、その中間部にガイドピン２６ｂが上に向けて植設され、ガイドピン２６ｂは、クランプアーム４２のガイド穴４２ｂを通され、アジャストプレート２５のガイド穴２５ｅに係合している。ガイド穴２５ｅは、その両端部に内側に入り込んだ鉤状の係止部２５ｆおよび２５ｇを備えている。シフトアーム２６の先端部には作動ピン２６ｃが下に向けて植設されている。さらに、クランプアーム４２の奥側には、大径ディスクＤ１を再生位置に位置決めするための位置決め突起４２ｄが形成されている。
【００１８】
図１において、サスペンションロック機構３１は、ロアシャーシ２の左右両側に、前後方向に摺動可能に設けられたサスペンションロック板（以下、サスロック板と略す。）３２と、サスロック板３２の下部に水平方向内側に向けて設けられて、Ｙ字形のロック溝３２ｂを形成されたロック板３２ａと、サスペンションシャーシ４に下方に向けて設けられて、Ｙ字形のロック溝４ｂを形成されたロック板４ａと、右側のサスロック板３２に前後方向に摺動可能に設けられたラック板３３と、右側のサスロック板３２に水平方向外側に向けて突出して植設された作動ピン３４とを備えている。サスロック板３２とラック板３３とは、ともに引張コイルばねにより装置奥側に向けて引張付勢されている。
【００１９】
ディスククランプ機構４１は、サスペンションシャーシ４の後端部両側に軸４３により揺動可能に設けられたクランプアーム４２を備えている。クランプアーム４２は、その天板に上記したディスク検出機構２１が設けられるとともに、その中央前端部には、円形のディスククランプ４４が、板ばね状のクランプばね４５を介して設けられている。ディスククランプ４４は、再生位置に挿入されたディスクを、その中心穴がサスペンションシャーシ４に設けられたターンテーブルの回転軸に挿入されるように押圧する。また、クランプアーム４２は、その両側板のうちの右側板４２ｃの先端部に、横方向外側に突出するガイド片４６を備え、サスロック板３２のガイドピン３４と係合可能になっている。ディスク再生機構は、ディスクを保持して回転するターンテーブルおよびディスクの信号を読み取る光ピックアップを備えた通常のものである。
【００２０】
次に、本実施の形態の動作について、まず直径１２ｃｍの大径ディスクを挿入する場合について説明する。図１および図２において、常態において、ディスク検出機構２１のロックプレート２３は、引張コイルばね２３ａに引っ張られてその位置を保持しており、ロックプレート２３のロック溝２３ｃの周縁がロックピン２４のロック片２４ｃを上から押えているので、ロックピン２４は、クランプアーム４２の下方に突出している。また、アジャストプレート２５は、その後端部２５ｃがラック板３３に押されて、その先端部２５ｂがロックプレート２３に当たっているので、その位置が保持されている。この状態で、装置内に１２ｃｍの大径ディスクＤ１を挿入すると、その挿入を検知したフォトディテクタからの信号によりフィードモータが回転し、フィードローラ１２が大径ディスクＤ１を装置内部へ向けて搬送する。大径ディスクＤ１が搬送されると、ディスク検知レバー２２は、その基端部のピン２２ａが大径ディスクＤ１の外周に押されて、軸２７を中心に時計回り方向に回動し、その先端部のピン２２ｂに係合する長穴２３ｂを通じてロックプレート２３が横内側方向Ａに移動する。
【００２１】
これにより、図３に示すように、ロックプレート２３のロック溝２３ｃがロックピン２４から離れるので、ロックピン２４は、水平軸２４ａの回りに回動可能になる。そこで、大径ディスクＤ１の外周が下方に突出するロックピン２４を捩りばね２４ｂに抗して押すと、ロックピン２４は回動して倒伏するので、大径ディスクＤ１はロックピン２４を越えてさらに装置の奥側に搬送される。また、図２に示すように、ロックプレート２３が横内側方向Ａに向けて移動し、その右端部がアジャストプレート２５を同方向に押すので、アジャストプレート２５の長穴２５ｄが軸２８を案内として移動するとともに、アジャストプレート２５のガイド穴２５ｅの係止部２５ｆに収まっていたシフトアーム２６のガイドピン２６ｂが係止部２５ｆから離れる。これにより、アジャストプレート２５が引張コイルばね２５ａにより軸２８を中心に時計回り方向に回動して、その後端部２５ｃがラック板３３を前方に押し出すとともに、シフトアーム２６は、軸２８を中心にガイド穴２５ｅに沿って回動可能になる。
【００２２】
そして、大径ディスクＤ１の最大寸法部分がディスク検知レバー２２の基端部のピン２２ａを越えると、ロックプレート２３が引張コイルばね２３ａにより横外側方向Ｂに向けて引っ張られるので、図４に示すように、ディスク検知レバー２２が反時計回り方向に回動するとともに、ロックプレート２３が横外側方向Ｂに向けて移動する。これにより、ロックプレート２３のロック溝２３ｃの周縁が倒伏したロックピン２４を上から押え、ロックピン２４は、大径ディスクＤ１から離れた倒伏状態でロックされる。また、シフトレバー２６の先端ピン２６ｃが大径ディスクＤ１の外周に押されるので、さらに時計回り方向に回動するとともに、大径ディスクＤ１の外周が、クランプアーム４２の後端に設けられた位置決め突起４２ｄに当たって位置決めされる。この状態では、大径ディスクＤ１の中心はディスククランプの中心よりもオフセットｄだけ奥側に位置しており、また、アジャストプレート２５は、ロックプレート２３が横外側方向Ｂに移動したことにより少し戻るので、シフトレバー２６は、そのガイドピン２６ｂが、アジャストプレート２５のガイド穴２５ｅの奥側の係止部２５ｇに係止され、引張コイルばね２５ａによりその状態が保持される。
【００２３】
図４において、アジャストプレート２５が軸２８を中心に時計回り方向に回動し、その後端部２５ｃがラック板３３を前方に押し出すと、ラック板３３のラック３３ａが、ロアシャーシ３に回転可能に設けられてフィードモータにより回転駆動されているピニオン１６に噛み合い、ラック板３３は、ピニオン１６により前方に少し移動した位置でサスロック板３２にロックされる。これにより、図５に示すように、サスロック板３２がピニオン１６により前方の所定位置まで搬送され、サスロック板３２のＹ字形のロック溝３２ｂとサスペンションシャーシ４のＹ字形のロック溝４ｂとの係合が外れて、サスペンションシャーシ４がダンパにより浮遊状態に支持されるとともに、サスロック板３２の先端部によってフィード板１３が軸１３ａを中心に時計回り方向に回動して、フィードローラ１２が大径ディスクＤ１から離れ、その状態がロックされる。また、サスロック板３２のガイドピン３４が、クランプアーム４２の右側板４２ｃに形成されたガイド片４６から外れるので、クランプアーム４２は、軸４３を中心に下方に回動し、そのディスククランプ４４が大径ディスクＤ１を押し付けるので、大径ディスクＤ１は、その中心穴がターンテーブルの中心軸に位置決めされながら保持される。これにより、大径ディスクＤ１の中心は、ターンテーブルの中心と一致し、大径ディスクＤ１の奥側の外周縁は、位置決め突起４２ｄおよびシフトアーム２６の先端ピン２６ｃからオフセット相当分だけ離れる。この状態は、アジャストプレート２６の引張コイルばね２６ａによって保持される。また、この状態を検知したセンサからの信号により、ターンテーブルがスピンドルモータにより回転駆動されるとともに、光ピックアップが作動して、大径ディスクＤ１に記録された信号を読み取って再生が行われる。
【００２４】
次に、大径ディスクＤ１を装置外に排出するイジェクト動作について説明する。大径ディスクＤ１の再生が終了して、イジェクトボタンが押されると、フィードモータが逆回転するので、図５において、ピニオン１６により、ラック板３３およびサスロック板３２が奥側へ移動する。これにより、図４に示すように、フィード板１３のロックが外れて、ばねにより元の位置に復帰するので、フィードローラ１２が大径ディスクＤ１に接触して大径ディスクＤ１を装置手前側に排出し、以後、上記したのと逆の動作が行われ、図６に示すように、大径ディスクＤ１が挿入／排出位置まで戻される。
【００２５】
次に、８ｃｍの小径ディスクＤ２を装置内に挿入した場合の動作について説明する。図７において、常態において、ロックプレート２３は、引張コイルばね２３ａに引っ張られてその位置を保持しており、ロックプレート２３のロック溝２３ｃの周縁がロックピン２４のロック片２４ｃを上から押えているので、ロックピン２４は、クランプアーム４２の下方に突出している。また、アジャストプレート２５は、その後端部２５ｃがラック板３３に押されて、その先端部２５ｂがロックプレート２３に当たっているので、その位置が保持されている。この状態で、装置内に小径ディスクＤ２を挿入すると、その挿入を検知したフォトディテクタからの信号によりフィードモータが回転し、フィードローラ１２が小径ディスクＤ２を装置内部へ向けて搬送する。
【００２６】
小径ディスクＤ２が装置内に搬送されると、図８に示すように、まず小径ディスクＤ２の外周がシフトアーム２６の先端ピン２６ｃを押すので、シフトアーム２６が軸２８を中心にして時計回り方向に回動する。シフトアーム２６のガイドピン２６ｂは、アジャストプレート２５のガイド穴２５ｅの係止部２５ｆに収まっているので、シフトアーム２６の回動によってアジャストプレート２５も一緒に回動する。この回動は、小径ディスクＤ２の外周がロックピン２４に当たることにより停止し、小径ディスクＤ２が位置決めされる。この状態では、小径ディスクＤ２の中心はディスククランプ４４の中心よりもオフセットｄだけ奥側に位置している。この状態で、アジャストプレート２５の後端部２５ｃがラック板３３を前方へ少し押し出すので、ラック板３３のラック３３ａが回転しているピニオン１６に噛み合い、上記したと同様にして、ラック板３３はサスロック板３２に結合されて前方へ進み、サスペンションシャーシ４とロアシャーシ３との結合が外れ、クランプアーム４２が降りてきて、図９に示すように、ディスククランプ４４が小径ディスクＤ２をターンテーブルに保持する。この状態では、小径ディスクＤ２の奥側の外周縁は、ロックピン２４およびシフトアーム２６の先端ピン２６ｃからオフセット相当分だけ離れており、センサからの信号によりターンテーブルが回転して、光ピックアップが小径ディスクＤ２の信号を読み取り、再生が行われる。
【００２７】
小径ディスクＤ２の再生が終了して、イジェクトボタンが押されると、フィードモータが逆回転するので、図９において、ピニオン１６により、ラック板３３およびサスロック板３２が奥側へ移動する。これにより、図８に示すように、フィード板１３のロックが外れて、ばねにより元の位置に復帰するので、フィードローラ１２が小径ディスクＤ２に接触して小径ディスクＤ２を装置手前側に排出し、以後、上記したのと逆の動作が行われ、図１０に示すように、小径ディスクＤ２が挿入／排出位置まで戻される。
【００２８】
以上のように、本実施の形態によれば、フィードローラ１２によって装置内に挿入された大径ディスクＤ１の外周に接触して軸２７を中心に回動するディスク検知レバー２２と、ディスク検知レバー２２の先端部に連動して横方向に移動するロックプレート２３と、常態においては装置内に挿入された小径ディスクＤ２を再生位置に位置決めするためにロックプレート２３により突出状態にロックされるとともに、ロックプレート２３の横内側方向Ａへの移動によりそのロックを解除されて、挿入されてきた大径ディスクＤ１の外周により倒伏し、大径ディスクＤ１の最大寸法部分がディスク検知レバー２２の基端部のピン２２ａを通過したことによるロックプレート２３の横外側方向Ｂへの移動によりその倒伏状態がロックされるロックピン２４と、ロックプレート２３の横方向の移動に追随して同方向に移動するとともに、軸２８を中心に回動可能なアジャストプレート２５と、軸２８を中心に回動可能に設けられて、アジャストプレート２５の横方向への移動によりロックを解除されて大径ディスクＤ１または小径ディスクＤ２の外周に押されて回動するシフトアーム２６とを有するディスク検出機構２１を備えているので、装置内に小径ディスクＤ２が挿入された場合には、ロックピン２４により小径ディスクＤ２を再生位置に位置決めするとともに、装置内に大径ディスクＤ１が挿入された場合には、ロックピン２４が大径ディスクＤ１の外周に押されて倒伏するので、大径ディスクＤ１でも小径ディスクＤ２でも、単に装置内にディスクを挿入するだけで再生が可能な、構成が簡単で安価なディスク再生装置を実現することができる。
【００２９】
【発明の効果】
以上説明したように、本発明のディスク再生装置は、装置内に挿入された大径ディスクの外周に基端部が押されて回動することにより先端部が横方向に移動するとともに、前記大径ディスクの最大寸法部分が通過した後に逆方向に回動するディスク検知レバーと、前記ディスク検知レバーの先端部に追随して横方向に移動するロックプレートと、常態において装置内に挿入された小径ディスクを再生位置に位置決めするために前記ロックプレートにより突出状態にロックされるとともに、前記ロックプレートの横方向への移動によりそのロックを解除されて前記挿入されてきた大径ディスクの外周により倒伏し、前記大径ディスクの最大寸法部分が通過したことによる前記ロックプレートの反対方向への移動によりその倒伏状態がロックされるロックピンと、前記大径ディスクを再生位置に位置決めする手段とを備えているので、大径ディスクでも小径ディスクでも、単に装置内にディスクを挿入するだけで再生ができるという優れた効果を有する。
【００３０】
また、本発明のディスク再生装置は、アッパシャーシとロアシャーシとサスペンションシャーシとからなるシャーシ機構と、ディスクを装置内の再生位置まで搬送し、再生位置から排出位置まで搬送するディスク搬送機構と、挿入された小径ディスクのための位置決め手段を備え、挿入されたディスクが大径ディスクの場合は、前記位置決め手段のロックを解除して前記大径ディスクの外周による位置決め手段の倒伏を可能にするロック手段を有するディスク検出機構と、ディスク検出機構に連動してシャーシ機構におけるサスペンションシャーシに対するロックまたはロック解除を行うサスペンションロック機構と、サスペンションシャーシに設けられて、再生位置に搬送されたディスクをターンテーブル上にクランプするディスククランプ機構およびデイスクを再生するディスク再生機構とを備えているので、大径ディスクでも小径ディスクでも、単に装置内にディスクを挿入するだけで再生ができるという優れた効果を有する。
【図面の簡単な説明】
【図１】（ａ）本発明の実施の形態における大径ディスク挿入時の状態を示す概略平面図
（ｂ）本発明の実施の形態における大径ディスク挿入時の状態を示す概略左側面図
（ｃ）本発明の実施の形態における大径ディスク挿入時の状態を示す概略右側面図
【図２】本発明の実施の形態におけるディスク検出機構の構成を示す概略平面図
【図３】（ａ）本発明の実施の形態における大径ディスク挿入時のロックピン解除状態を示す概略平面図
（ｂ）本発明の実施の形態における大径ディスク挿入時のロックピン解除状態を示す概略左側面図
（ｃ）本発明の実施の形態における大径ディスク挿入時のロックピン解除状態を示す概略右側面図
【図４】（ａ）本発明の実施の形態における大径ディスク挿入時のディスク位置決め状態を示す概略平面図
（ｂ）本発明の実施の形態における大径ディスク挿入時のディスク位置決め状態を示す概略左側面図
（ｃ）本発明の実施の形態における大径ディスク挿入時のディスク位置決め状態を示す概略右側面図
【図５】（ａ）本発明の実施の形態における大径ディスク挿入時のディスククランプ状態を示す概略平面図
（ｂ）本発明の実施の形態における大径ディスク挿入時のディスククランプ状態を示す概略左側面図
（ｃ）本発明の実施の形態における大径ディスク挿入時のディスククランプ状態を示す概略右側面図
【図６】（ａ）本発明の実施の形態における大径ディスク排出時の状態を示す概略平面図
（ｂ）本発明の実施の形態における大径ディスク排出時の状態を示す概略左側面図
（ｃ）本発明の実施の形態における大径ディスク排出時の状態を示す概略右側面図
【図７】（ａ）本発明の実施の形態における小径ディスク挿入時の状態を示す概略平面図
（ｂ）本発明の実施の形態における大径ディスク挿入時の状態を示す概略左側面図
（ｃ）本発明の実施の形態における大径ディスク挿入時の状態を示す概略右側面図
【図８】（ａ）本発明の実施の形態における小径ディスク挿入時のディスク位置決め状態を示す概略平面図
（ｂ）本発明の実施の形態における小径ディスク挿入時のディスク位置決め状態を示す概略左側面図
（ｃ）本発明の実施の形態における小径ディスク挿入時のディスク位置決め状態を示す概略右側面図
【図９】（ａ）本発明の実施の形態における小径ディスク挿入時のディスククランプ状態を示す概略平面図
（ｂ）本発明の実施の形態における小径ディスク挿入時のディスククランプ状態を示す概略左側面図
（ｃ）本発明の実施の形態における小径ディスク挿入時のディスククランプ状態を示す概略右側面図
【図１０】（ａ）本発明の実施の形態における小径ディスク排出時の状態を示す概略平面図
（ｂ）本発明の実施の形態における小径ディスク排出時の状態を示す概略左側面図
（ｃ）本発明の実施の形態における小径ディスク排出時の状態を示す概略右側面図
【符号の説明】
１  シャーシ機構
２  ロアシャーシ
３  アッパシャーシ
４  サスペンションシャーシ
１１  ディスク搬送機構
１２  フィードローラ
１３  フィード板
１４  ローラギヤ
１５  駆動ギヤ
１６  ピニオン
２１  ディスク検出機構
２２  ディスク検知レバー
２３  ロックプレート
２４  ロックピン（小径ディスクの位置決め手段）
２５  アジャストプレート
２６  シフトアーム
２７、２８  軸
３１  サスペンションロック機構
３２  サスペンションロック板（サスロック板）
３３  ラック板
３４  ガイドピン
４１  ディスククランプ機構
４２  クランプアーム
４２ｄ  大径ディスクの位置決め突起
４３  軸
４４  ディスククランプ
４５  クランプばね
４６  ガイド片
【図１】
0003801842.tif 000002
【図２】
0003801842.tif 000003
【図３】
0003801842.tif 000004
【図４】
0003801842.tif 000005
【図５】
0003801842.tif 000006
【図６】
0003801842.tif 000007
【図７】
0003801842.tif 000008
【図８】
0003801842.tif 000009
【図９】
0003801842.tif 000010
【図１０】
0003801842.tif 000011